【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
式（Ｉ）の構造を含む化合物
【化１】
2017526767.tif 000001
［式中、
ｐは、０、１、２、３、または４であり、
ｑは、２〜１０，０００の整数であり；
ＲａおよびＲｂは、それぞれ独立に、不在であり、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換もしくは非置換の基であり；
Ｒｃは、Ｈ、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換もしくは非置換の基であり；
ＲｘおよびＲｙは、それぞれ独立に、薬学的に許容される末端基であり、またはこれらが結合している炭素と一緒になって、３〜１０員の環を形成し、
ここで、該３〜１０員の環は、場合により、ポリマーに結合され、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される１〜４個の基で置換される］、または薬学的に許容されるその塩。
【請求項２】
式（ＩＩＩ）の構造を含む化合物
【化２】
2017526767.tif 000002
［式中、
ｐは、０、１、２、３、または４であり、
ｑは、２〜１０，０００の整数であり；
ＲａおよびＲｂは、それぞれ独立に、不在であり、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換もしくは非置換の基であり；
Ｒｃは、Ｈ、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換もしくは非置換の基であり；
ＲｘおよびＲｙは、それぞれ独立に、薬学的に許容される末端基であり、またはこれらが結合している炭素と一緒になって、３〜１０員の環を形成し、
ここで、該３〜１０員の環は、場合により、ポリマーに結合され、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される１〜４個の基で置換され、
Ｙ−はそれぞれ独立に、ハロまたは任意の薬学的に許容されるアニオンである］、または薬学的に許容されるその塩。
【請求項３】
式（ＩＶ）の構造を含む化合物
【化３】
2017526767.tif 000003
［式中、
ｍは０〜１５の整数であり；
ｎは０〜１５の整数であり；
ｏは０〜１０の整数であり；
ｑは２〜１０，０００の整数であり；
ＲａおよびＲｂは、それぞれ独立に、不在であり、または置換または非置換の（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換または非置換の基であり；
Ｒｃはそれぞれ独立に、Ｈ、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換または非置換の基であり；
ＲｘおよびＲｙは、それぞれ独立に、薬学的に許容される末端基であり、またはこれらが結合している炭素と一緒になって、３〜１０員の環を形成し、
ここで、該３〜１０員の環は、場合により、ポリマーに結合されており、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される１〜４個の基で置換されている］、または薬学的に許容されるその塩。
【請求項４】
式（ＶＩ）の構造を含む化合物
【化４】
2017526767.tif 000004
［式中、
ｍは０〜１５の整数であり；
ｎは０〜１５の整数であり；
ｏは０〜１０の整数であり；
ｑは２〜１０，０００の整数であり；
ＲａおよびＲｂは、それぞれ独立に、不在であり、または置換または非置換の（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換または非置換の基であり；
Ｒｃはそれぞれ独立に、Ｈ、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換または非置換の基であり；
ＲｘおよびＲｙは、それぞれ独立に、薬学的に許容される末端基であり、またはこれらが結合している炭素と一緒になって、３〜１０員の環を形成し、
ここで、該３〜１０員の環は、場合により、ポリマーに結合されており、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される１〜４個の基で置換されており；
Ｙ−は、ハロまたは任意の薬学的に許容されるアニオンである］、または薬学的に許容されるその塩。
【請求項５】
式（Ｘ）の構造を含む化合物
【化５】
2017526767.tif 000005
［式中、
ｍは０〜１５の整数であり；
ｎは０〜１５の整数であり；
ｏは０〜１０の整数であり；
ｑは２〜１０，０００の整数であり；
ＲａおよびＲｂは、それぞれ独立に、不在であり、または置換または非置換の（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテ
ロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換または非置換の基であり；
Ｒｃはそれぞれ独立に、Ｈ、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換または非置換の基であり；
ＲｘおよびＲｙは、それぞれ独立に、薬学的に許容される末端基であり、またはこれらが結合している炭素と一緒になって、３〜１０員の環を形成し、
ここで、該３〜１０員の環は、場合により、ポリマーに結合されており、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される１〜４個の基で置換されており；
Ｙ−はそれぞれ独立に、ハロまたは任意の薬学的に許容されるアニオンである］、または薬学的に許容されるその塩。
【請求項６】
式（ＸＩ）の構造を含む化合物
【化６】
2017526767.tif 000006
［式中、
ｍは０〜１５の整数であり；
ｑは２〜１０，０００の整数であり；
ＲａおよびＲｂは、それぞれ独立に、不在であり、または置換または非置換の（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換または非置換の基であり；
Ｒｃはそれぞれ独立に、Ｈ、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換または非置換の基であり；
ＲｘおよびＲｙは、それぞれ独立に、薬学的に許容される末端基であり、またはこれらが結合している炭素と一緒になって、３〜１０員の環を形成し、
ここで、該３〜１０員の環は、場合により、ポリマーに結合されており、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される１〜４個の基で置換されており；
Ｙ−はそれぞれ独立に、ハロまたは任意の薬学的に許容されるアニオンである］、または薬学的に許容されるその塩。
【請求項７】
請求項１に記載の化合物を含む医薬組成物。
【請求項８】
請求項３に記載の化合物を含む医薬組成物。
【請求項９】
粘膜炎、口腔粘膜炎、および感染症から選択される状態の治療または予防に使用するための、請求項１に記載の化合物を含む医薬組成物。
【請求項１０】
粘膜炎、口腔粘膜炎、および感染症から選択される状態の治療または予防に使用するための、請求項３に記載の化合物を含む医薬組成物。
【請求項１１】
粘膜炎、口腔粘膜炎、および感染症から選択される状態の治療または予防に使用するための、請求項９に記載の医薬組成物。
【請求項１２】
粘膜炎、口腔粘膜炎、および感染症から選択される状態の治療または予防に使用するための、請求項１０に記載の医薬組成物。
【請求項１３】
請求項１に記載の化合物を投与する工程を含む、粘膜炎、口腔粘膜炎、および感染症から選択される状態を治療する方法。
【請求項１４】
請求項３に記載の化合物を投与する工程を含む、粘膜炎、口腔粘膜炎、および感染症から選択される状態を治療する方法。
【請求項１５】
感染症は、手術部位感染症または嚢胞性線維症に関連する肺感染症である、請求項１３に記載の方法。
【請求項１６】
感染症は、手術部位感染症または嚢胞性線維症に関連する肺感染症である、請求項１４に記載の方法。
【請求項１７】
式（ＸＩＩ）の構造を含む化合物
【化７】
2017526767.tif 000007
［式中、
ｑは２〜１０，０００の整数であり；
Ｘはそれぞれ独立に、ＮまたはＰであり；
Ｚは、ＮＨ、Ｏ、またはＳであり；
ＲｄおよびＲｅは、それぞれ独立に、Ｈ、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換もしくは非置換の基であり；
ＲｆおよびＲｇは、それぞれ独立に、Ｈ、もしくは（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される置換もしくは非置換の基であり、またはＲｆおよびＲｇは、これらが結合している原子と一緒になって４〜１０員の環を形成し、
ここで、該４〜１０員の環は、（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、（Ｃ１〜Ｃ１０）アルキル−Ｃ（Ｏ）Ｏ−、ＣＯＯＨ−（Ｃ１〜Ｃ１０）アルキル、ＣＯＯＨ−（Ｃ３〜Ｃ１０）シクロアルキル、（Ｃ１〜Ｃ１０）アルキル−Ｏ−、−ＯＨ、−ＮＨ２から選択される１〜３個の基で場合により置換されており；
ＲｘおよびＲｙは、それぞれ独立に、薬学的に許容される末端基であり、またはこれらが結合している炭素と一緒になって、３〜１０員の環を形成し、
ここで、該３〜１０員の環は、場合により、ポリマーに結合されており、または（Ｃ１〜Ｃ１０）アルキル、（Ｃ２〜Ｃ９）ヘテロアルキル、（Ｃ３〜Ｃ１０）シクロアルキル、（Ｃ２〜Ｃ９）ヘテロシクロアルキル、（Ｃ６〜Ｃ１４）アリール、（Ｃ２〜Ｃ９）ヘテロアリール、（Ｃ１〜Ｃ１０）アルキルアミン、カルボニル、−Ｏ（Ｏ）Ｃ−（Ｃ１〜Ｃ１０）アルキル、（Ｃ１〜Ｃ１０）アルキル−ＣＯＯＨ、（Ｃ３〜Ｃ１０）シクロアルキル−ＣＯＯＨ、−（Ｏ）ＣＨ３、−ＯＨ、アミドから選択される１〜４個の基で置換されている］、または薬学的に許容されるその塩。
【請求項１８】
請求項１７に記載の化合物を含む医薬組成物。
【請求項１９】
粘膜炎、口腔粘膜炎、および感染症から選択される状態の治療または予防に使用するための、請求項１８に記載の医薬組成物。
【請求項２０】
請求項１７に記載の化合物を投与する工程を含む、粘膜炎、口腔粘膜炎、および感染症から選択される状態を治療する方法。
【請求項２１】
感染症は、手術部位感染症または嚢胞性線維症に関連する肺感染症である、請求項２０に記載の方法。
【請求項２２】
感染症は、緑膿菌肺感染症である、請求項２１に記載の方法。
【請求項２３】
バイオフィルムが緑膿菌肺感染症に存在する、請求項２２に記載の方法。